(57)【要約】【課題】キッチンで用いられる電化製品の電力供給するために必要なコンセントの設置にあたり、施工時にコンセント取り付けのための加工の必要がなく、さらに、スペースによる制約を受けずに、コンセントをキッチン廻りに設けることができるキッチンカウンターを提供する。【解決手段】カウンター１の後端縁にバックガード２が設けられているキッチンカウンターＸにおいて、コンセント６がバックガード２に配設されており、さらには、コンセント６のプラグ差込口７がバックガード２の上面に配設される。【選択図】図１
2008000267.tif 000002
【特許請求の範囲】
【請求項１】
カウンターの後端縁にバックガードが設けられているキッチンカウンターにおいて、コンセントがバックガードに配設されていることを特徴とするキッチンカウンター。
【請求項２】
コンセントのプラグ差込口がバックガード上面に配設されていることを特徴とする請求項１記載のキッチンカウンター。
【請求項３】
使用時には、プラグ差込口がバックガード上に現れるようにコンセントがバックガード上面から突出し、非使用時には、プラグ差込口がバックガード内部に隠れるようにコンセントをバックガード内部に収納可能とするようになしたことを特徴とする請求項２記載のキッチンカウンター。
【請求項４】
バックガードに長手方向の任意の幅で開口した開口スペースを設け、開口スペースの側壁面にプラグ差込口が現れるようにコンセントが設けられていることを特徴とする請求項１記載のキッチンカウンター。
【発明の詳細な説明】
【技術分野】
【０００１】
本発明は、キッチンカウンターに関し、特に、カウンターの後端縁にバックガードが設けられているキッチンカウンターに関する。
【背景技術】
【０００２】
近年、キッチンにおいては、炊飯器、電子レンジ、オーブントースター、コーヒーメーカーなど多くの電化製品が配置されるようになってきている。従来から、これら電化製品の電力供給するために必要なコンセントは、キッチン周辺の壁に設置されている場合や、特開２００３−５２４６７号公報（特許文献１）に示されるように、システムキッチンに組み込まれたキャビネットの側板外面に設置されることが知られている。
【特許文献１】特開２００３−５２４６７号公報
【発明の開示】
【発明が解決しようとする課題】
【０００３】
しかしながら、壁にコンセントを取り付ける場合にあっては、壁面を切り欠く必要があるなど施工に手間がかかる問題があり、また、上記従来例である特許文献１の側板外面にコンセント取り付け構造を有するキャビネットにあっては、キッチンのスペースによっては、該キャビネットをシステムキッチンに組み込むことができない場合が考えられ、有効な手段とはならない場合があった。
【０００４】
本願発明は、上記背景技術に鑑みて発明されたものであり、その課題は、施工時にコンセント取り付けのための加工の必要がなく、さらに、スペースによる制約を受けないで、コンセントをキッチン廻りに設けることができるキッチンカウンターを提供することである。
【課題を解決するための手段】
【０００５】
上記課題を解決するために、本願請求項１記載の発明では、カウンターの後端縁にバックガードが設けられているキッチンカウンターにおいて、コンセントがバックガードに配設されていることを特徴としている。
【０００６】
本願請求項２記載の発明では、上記請求項１記載のキッチンカウンターにおいて、コンセントのプラグ差込口がバックガード上面に配設されていることを特徴としている。
【０００７】
本願請求項３記載の発明では、上記請求項２記載のキッチンカウンターにおいて、使用時には、プラグ差込口がバックガード上に現れるようにコンセントがバックガード上面から突出し、非使用時には、プラグ差込口がバックガード内部に隠れるようにコンセントをバックガード内部に収納可能とするようになしたことを特徴としている。
【０００８】
本願請求項４記載の発明では、上記請求項１記載のキッチンカウンターにおいて、バックガードに長手方向の任意の幅で開口した開口スペースを設け、開口スペースの側壁面にプラグ差込口が現れるようにコンセントが設けられていることを特徴としている。
【発明の効果】
【０００９】
本願請求項１記載の発明のキッチンカウンターにおいては、コンセントをカウンターのバックガードに配設することによって、キッチンに隣接する壁面に新たにコンセントを配設する施工が不要となり、また、コンセントを配設するためのキャビネットを新たに設ける必要がなく、キッチンプランに豊富なバリエーションを提供することができる。しかも、コンセントをバックガードに配設したことによって、カウンター上での調理作業などによるコンセントへの水の飛散を防止できる。
【００１０】
本願請求項２記載の発明のキッチンカウンターにおいては、特に、コンセントのプラグ差込口をバックガードの上面に配設することによって、カウンター上での調理作業などによるプラグ差込口への水の飛散をバックガード側面で受けることによって防ぐことができる。しかも、バックガード上面にプラグ差込口が配設されていることより、プラグ差込時の差込口の位置の確認の容易性を図ることができる。
【００１１】
本願請求項３記載の発明のキッチンカウンターにおいては、特に、非使用時にコンセントのプラグ差込口をバックガード内に収納することができることによって、カウンター上での調理作業などによるプラグ差込口への水の飛散や埃などの浸入を確実に防止することができる。
【００１２】
本願請求項４記載の発明のキッチンカウンターにおいては、特に、バックガードの開口スペースの側壁面へコンセントを設けることによって、カウンター上での調理作業などによるプラグ差込口への水の飛散を防止することができる。しかも、プラグの差込を水平にすることができることにより、プラグの着脱作業の容易性を図ることが可能となる。
【発明を実施するための最良の形態】
【００１３】
図１〜３は、本願発明の第１の実施形態であるキッチンカウンターを示しており、図１はキッチンカウンターを示した斜視図、図２はコンセントが配設されたバックガードを示した斜視図、図３は同バックガードの断面図である。図１に示すように、カウンター１の後端縁にバックガード２が設けられているキッチンカウンターＸにおいて、コンセント６がバックガード２に配設されている。更に、図２に示すように、コンセント６のプラグ差込口７がバックガード２の上面に配設されている。
【００１４】
以下、この実施形態のキッチンカウンターを、より具体的詳細に説明する。図１に示すように、カウンター１の後端縁にはカウンター１の上面より上方に突出した凸部であるバックガード２が設けられており、コンセント６がバックガード２に配設されている。キッチンカウンターＸは台所用品などを納める収納庫５などの上面に設けられているものであり、カウンター１はステンレス製、人工大理石製のものなど様々なものを使用できる。なお、キッチンカウンターＸには、シンク３や調理機器４が設けられていてもかまわないものである。この場合には、コンセント６はシンク３および調理機器４の後方位置を避け、その他の調理スペースの後方のバックガード２に設置される。
【００１５】
さらに、バックガード２はカウンター１と同質のものが用いられるのが一般的であるが、バックガード２のみにその他のものが使用されてもかまわないものである。
【００１６】
図３に示すように、バックガード２の中空となっている内部空間に、コンセント６が納められている。コンセント６をバックガード２に配設する際の固定方法は特に制限はなく、例えば、コンセント６の専用取付枠を用いて、バックガード２の裏面からネジ止めなどによって固定されることなどがある。また、壁などから引き出されてくるコンセント６への電源供給のための電源配線１０は、バックガード２の内部空間によってコンセント６と接続されることとなる。コンセント６のバックガード２への配設は、生産工場において予め行うことができるので、キッチンの施工現場においては電源配線１０をコンセント６に接続するだけとなり、施工性を向上させることができる。
【００１７】
また、図２に示すように、コンセント６のプラグ差込口７はバックガード２の上面に配設されている。この場合、プラグ差込口７の備えた面とバックガード２の上面を略面一となるように配設することもできる。
【００１８】
したがって、キッチンで用いられる電気機器の電力供給用のコンセント６をバックガード２に配設することによって、キッチンに隣接する壁面に新たにコンセント６を配設する施工が不要となり、また、システムキッチンにコンセント６を設置できる側板外面を有するキャビネットなどを新たに組み込む必要がないため、スペースによる制約を受けることなくキッチンプランに豊富なバリエーションを提供することができる。さらに、キッチンカウンターＸにはシンク３などが設けられることがあり、カウンター１上での調理作業などによって水が飛散することが考えられるが、飛散する水はバックガード２の側面で受けるので、コンセント６のプラグ差込口７をバックガード２の上面に配設することによって、プラグ差込口７への水の飛散は防止される。
【００１９】
なお、図１〜３ではバックガード２に配設されるコンセント６は１台のみの図示であるが、当然に複数のコンセント６を配設してもよい。
【００２０】
図４は、本願発明の第２の実施形態であるキッチンカウンターのコンセントが配設されたバックガードを示している。ここでは、上記第１の実施形態と相違する事項についてのみ説明し、その他の事項（構成、作用効果等）については、上記第１の実施形態と同様であるのでその説明を省略する。図４（ｃ）に示すように、使用時には、プラグ差込口７がバックガード２上に現れるようにコンセント６がバックガード２の上面から突出している。また、図４（ａ）に示すように、非使用時には、プラグ差込口７がバックガード２の内部に隠れるようにコンセント６をバックガード２の内部に収納可能としている。
【００２１】
以下、この実施形態のキッチンカウンターを、より具体的詳細に説明する。図４（ａ）〜（ｃ）に示すように、コンセント６はバックガード１に配設されている。非使用時には、図４（ａ）に示すように、コンセント６はバックガード２の内部空間に収納されており、蓋部８によって、開口部を閉塞している。ここで、蓋部８はプラグ差込口７の背面側に設けられており、コンセント６と一体となって回転するものであって、収納状態では、蓋部８とバックガード２の上面とが略面一となるようにすることが望ましい。使用時には、図４（ｂ）に示すように、コンセント６をＡ方向に回転して、図４（ｃ）に示すように、バックガード２上にプラグ差込口７が現れるように、コンセント６がバックガード２の上面から突出させることで、プラグ１１をプラグ差込口７に差し込んで使用することができる。
【００２２】
したがって、非使用時にコンセント６のプラグ差込口７をバックガード２の内部に収納することができることによって、カウンター１上での調理作業などによるプラグ差込口への水の飛散や埃などの浸入を確実に防止することができる。
【００２３】
なお、コンセント６のバックガード２内への収納は、回転によるものに限られず、上下可動するものであってもよい。
【００２４】
図５は、本願発明の第３の実施形態であるキッチンカウンターのコンセントが配設されたバックガードを示している。ここでは、上記第１の実施形態と相違する事項についてのみ説明し、その他の事項（構成、作用効果等）については、上記第１の実施形態と同様であるのでその説明を省略する。図５に示すように、バックガード２に長手方向の任意の幅で開口した開口スペースを設け、開口スペースの側壁面にプラグ差込口７が現れるようにコンセント６が設けられている
以下、この実施形態のキッチンカウンターを、より具体的詳細に説明する。図５（ａ）に示すように、バックガード２は任意の幅で構成した可動するバックガード可動部９を有しており、バックガード可動部９をＢ方向に回転させることで、バックガード２の一部を開口することができる。図５（ｂ）に示すように、この開口スペースの側壁部にコンセント６を配設している。使用時には、バックガード可動部９を回転させることで、開口スペースを開口させ、コンセント６のプラグ差込口７にプラグ１１を差し込んで使用することができる。さらに、非使用時には、バックガード可動部９を回転させて、開口スペースを閉塞させる。
【００２５】
したがって、カウンター１上での調理作業などによるプラグ差込口７への水の飛散を防止することができる。ここで、バックガード可動部９は必須のものではないが、非使用時にバックガード可動部９により開口スペースを閉塞する場合には、より確実に水の飛散や埃などの浸入を防止が可能となる。さらに、プラグ１１の差込を水平にすることができることで、プラグ１１の着脱作業の容易性を図ることが可能となる。
【００２６】
なお、バックガード可動部９は回転による可動に限られず、取り外し可能なものであっても、バックガードの長手方向にスライドするものであってもよい。また、図５ではバックガード２に配設されるコンセント６は１台のみの図示であるが、当然に開口スペースの側壁面のいずれにコンセント６を配設してもよいし、複数の開口スペースを設けてもよい。
【図面の簡単な説明】
【００２７】
【図１】本願発明の第１の実施形態であるキッチンカウンターの斜視図である。
【図２】同キッチンカウンターにおけるコンセントが配設されたバックガードの斜視図である。
【図３】同キッチンカウンターにおけるバックガードの断面図である。
【図４】本願発明の第２の実施形態であるキッチンカウンターにおけるコンセントが配設されたバックガードの斜視図である。
【図５】本願発明の第３の実施形態であるキッチンカウンターにおけるコンセントが配設されたバックガードの斜視図である。
【符号の説明】
【００２８】
Ｘ  キッチンカウンター
１  カウンター
２  バックガード
３  シンク
４  調理機器
５  収納庫
６  コンセント
７  プラグ差込口
８  蓋部
９  バックガード可動部
１０  電源配線
１１  プラグ
【図１】
2008000267.tif 000003
【図２】
2008000267.tif 000004
【図３】
2008000267.tif 000005
【図４】
2008000267.tif 000006
【図５】
2008000267.tif 000007